【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  ポリマーの製造方法であって、前記方法が、フリーラジカル源および０．１から５０００の範囲の移動定数を有する連鎖移動剤の存在下でモノマー混合物を前記ポリマーへ重合させることを含み、前記連鎖移動剤が下式を有し、
【化１】
2002508409.tif 000001
上式で、Ｄが下式を有するＤ１であるとき、
【化２】
2002508409.tif 000002
ｐは１から２００の範囲内であり、ＥはＺ’であり、および前記移動剤は下式で表され、
【化３】
2002508409.tif 000003
上式で、Ｄが下式を有するＤ２であるとき、
【化４】
2002508409.tif 000004
ｐは１から２００の範囲内であり、ＥはＥ１またはＥ２であり、および前記移動剤は下式で表され、
【化５】
2002508409.tif 000005
上式で、Ｄが下式を有するＤ３であるとき、
【化６】
2002508409.tif 000006
ｐ’は２から２００の範囲で、ＥはＺ、Ｅ１またはＥ２であって、前記移動剤は下式で表され、
【化７】
2002508409.tif 000007
上式で、Ｄが下式を有するＤ４であるとき、
【化８】
2002508409.tif 000008
ＥはＥ３またはＥ４であって、前記移動剤は下式で表され、
【化９】
2002508409.tif 000009
前記のすべての場合において、
Ｒは、置換または非置換アルカン、置換または非置換アルケン、置換または非置換アレーン、不飽和または芳香族炭素環式環、不飽和または飽和複素環式環、有機金属分子種、およびポリマー鎖からなる群から選択される部分から誘導されるｐ価の部分であり、Ｒ・は、フリーラジカル重合を開始するＲに由来するフリーラジカル脱離基であり、
Ｒ*およびＲ’は、置換または非置換アルキル、置換または非置換アルケニル、置換または非置換アリール、不飽和または芳香族炭素環式環、不飽和または飽和複素環式環、置換または非置換アルキルチオ、置換または非置換アルコキシ、置換または非置換ジアルキルアミノ、有機金属分子種、およびポリマー鎖からなる群から独立に選択される１価の部分であり、Ｒ*・は、フリーラジカル重合を開始するＲ*に起因するフリーラジカル脱離基であり、
Ｘは、置換または非置換メチン、窒素、および共役する基からなる群から選択され、
Ｚ’は、Ｅ１、Ｅ２、ハロゲン、置換または非置換アルキル、置換または非置換アルケニル、置換または非置換アリール、置換または非置換ヘテロシクリル、置換または非置換アルキルチオ、置換または非置換アルコキシカルボニル、置換または非置換−ＣＯＯＲ”、カルボキシ、置換または非置換−ＣＯＮＲ”2、シアノ、−Ｐ（＝Ｏ）（ＯＲ”）2、−Ｐ（＝Ｏ）Ｒ”2からなる群から選択され、ここで、Ｒ”は、置換または非置換アルキル、置換または非置換アルケニル、置換または非置換アリール、置換または非置換ヘテロシクリル、置換または非置換アラルキル、置換または非置換アルカリール、およびそれらの組合せからなる群から選択され、
Ｚ”は、置換または非置換アルカン、置換または非置換アルケン、置換または非置換アレーン、置換または非置換複素環、ポリマー鎖、有機金属分子種、およびそれらの組合せからなる群から選択される部分から誘導されるｐ’価の部分であり、
Ｚは、ハロゲン、置換または非置換アルキル、置換または非置換アルケニル、置換または非置換アリール、置換または非置換ヘテロシクリル、置換または非置換アルキルチオ、置換または非置換アルコキシカルボニル、置換または非置換−ＣＯＯＲ”、カルボキシ、置換または非置換−ＣＯＮＲ”2、シアノ、−Ｐ（＝Ｏ）（ＯＲ”）2、−Ｐ（＝Ｏ）Ｒ”2からなる群から選択され、
Ｅ１は、窒素原子を介して結合される置換または非置換複素環から誘導される置換官能基であるか、または下式を有するものであり、
【化１０】
2002508409.tif 000010
（式中、ＧおよびＪは、水素、置換または非置換アルキル、置換または非置換アルケニル、置換または非置換アルコキシ、置換または非置換アシル、置換または非置換アロイル、置換または非置換アリール、置換または非置換ヘテロアリール、置換または非置換アルケニル、置換または非置換アルキルスルホニル、置換または非置換アルキルスルフィニル、置換または非置換アルキルホスホニル、置換または非置換アリールスルホニル、置換または非置換アリールスルフィニル、置換または非置換アリールホスホニルからなる群から独立的に選択される）
Ｅ２が下式を有するものであり、
【化１１】
2002508409.tif 000011
（式中、Ｇ’は、置換または非置換アルキル、置換または非置換アルケニル、置換または非置換アリールからなる群から選択される）
Ｅ３は下式を有するものであり、
【化１２】
2002508409.tif 000012
（式中、ｐ'''は２と２００の間であり、Ｇ”がＺ”であり、およびＪ’は、水素、置換または非置換アルキル、置換または非置換アルケニル、置換または非置換アルコキシ、置換または非置換アシル、置換または非置換アロイル、置換または非置換アリール、置換または非置換ヘテロアリール、置換または非置換アルケニル、置換または非置換アルキルスルホニル、置換または非置換アルキルスルフィニル、置換または非置換アルキルホスホニル、置換または非置換アリールスルホニル、置換または非置換アリールスルフィニル、置換または非置換アリールホスホニルからなる群から独立的に選択されるか、または５〜８員環を形成するようにＧ”と結合する）および
Ｅ４は下式を有するものである
【化１３】
2002508409.tif 000013
（式中、ｐ'''は２と２００の間であり、およびＧ'''はＺ”である）
ことを特徴とする方法。
【請求項２】  ｐ'''＝１かつＤ＝Ｄ１のときに、前記連鎖移動剤のＥ−Ｃ−Ｘ＝Ｃ−Ｚ’が環状構造を形成することを特徴とする請求項１に記載の方法。
【請求項３】  前記連鎖移動剤が、下式を有するものであることを特徴とする請求項２に記載の方法。
【化１４】
2002508409.tif 000014
【請求項４】  前記置換または非置換複素環から誘導される前記官能基が、ピロール、イミダゾール、ラクタム、環状イミド、インドール、カルバゾール、ベンズイミダゾール、ベンゾトリアゾール、およびイサチンからなる群から選択されることを特徴とする請求項１に記載の方法。
【請求項５】  Ｅ１が下式を有するものであるときに、
【化１５】
2002508409.tif 000015
前記連鎖移動剤が下式を有するＤ１を含む
【化１６】
2002508409.tif 000016
ことを特徴とする請求項１に記載の方法。
【請求項６】  Ｅ１が下式を有するものであるか、
【化１７】
2002508409.tif 000017
Ｅ２が下式を有するものであるとき、
【化１８】
2002508409.tif 000018
前記連鎖移動剤が下式を有するＤ２を含む
【化１９】
2002508409.tif 000019
ことを特徴とする請求項１に記載の方法。
【請求項７】  Ｅ１が下式を有するものであるとき、
【化２０】
2002508409.tif 000020
前記連鎖移動剤が下式を有するＤ２を含む
【化２１】
2002508409.tif 000021
ことを特徴とする請求項１に記載の方法。
【請求項８】  Ｅ２が下式を有するものであるとき、
【化２２】
2002508409.tif 000022
前記連鎖移動剤が下式を有するＤ２を含む
【化２３】
2002508409.tif 000023
ことを特徴とする、請求項１に記載の方法。
【請求項９】  前記モノマー混合物が、下式を有する少なくとも１つのビニルモノマーを含み、
【化２４】
2002508409.tif 000024
（式中、Ｌは、水素、ハロゲン、および置換または非置換Ｃ1〜Ｃ4アルキルからなる群から選択され、前記アルキル置換基は、ヒドロキシ、アルコキシ、ＯＲ”、ＣＯ2Ｈ、Ｏ2ＣＲ”、ＣＯ2Ｒ”およびそれらの組合せからなる群から独立的に選択され、
Ｍは、水素、Ｒ”、ＣＯ2Ｈ、ＣＯ2Ｒ”、ＣＯＲ”、ＣＮ、ＣＯＮＨ2、ＣＯＮＨＲ”、ＣＯＮＲ”2、Ｏ2ＣＲ”、ＯＲ”、およびハロゲンからなる群から選択される）
ことを特徴とする請求項１に記載の方法。
【請求項１０】  前記モノマー混合物は、無水マレイン酸、Ｎ−アルキルマレイミド、Ｎ−アリールマレイミド、フマル酸ジアルキル、環化重合可能なモノマー、開環モノマー、マクロモノマー、またはそれらの組合せをさらに含むことを特徴とする請求項９に記載の方法。